(57)【要約】【課題】ドラムを確実に保持でき、かつ、簡単な着脱を実現できるコンパクトを提案する。【解決手段】  化粧料を充填、保持する略角型の平面形状を有するドラム（３）と、開閉自在な蓋体（２）を有しその内部に該ドラム（３）を着脱自在に収納する収納空間をもつ容器本体（１）とからなるコンパクトにおいて、前記収納空間に、前記ドラム（３）の各コーナー部（３ａ〜３ｄ）又は湾曲面のそれぞれに対向する幅広面を有しその幅広面で相互に挟圧支持してドラムを支える一端固定型のフラットな板状弾性片（４）を設け、該板状弾性片（４）の幅広面に、前記ドラム（３）のコーナー部（３ａ〜３ｄ）又は湾曲面と同一のＲ形状を有し該コーナー部（３ａ〜３ｄ）又は湾曲面にアンダーカット嵌合して該ドラム（３）を支える嵌合リブ（５）又は嵌合溝部を配設する。【選択図】図１
2005342171.tif 000002
【特許請求の範囲】
【請求項１】
化粧料を充填、保持するドラムと、開閉自在な蓋体を有しその内部に該ドラムを着脱自在に収納する収納空間をもつ容器本体とからなるコンパクトであって、
前記収納空間に、前記ドラムの各コーナー部又は湾曲面のそれぞれに対向する幅広面を有しその幅広面で相互に挟圧支持してドラムを支える一端固定型のフラットな板状弾性片を設け、
該板状弾性片のフラット面に、前記ドラムのコーナー部又は湾曲面と同一のＲ形状を有し該ドラムのコーナー部又は湾曲面にアンダーカット嵌合する嵌合リブ又は嵌合溝部を配設してなることを特徴とするコンパクト。
【請求項２】
前記板状弾性片の少なくとも一つは、固定端を基点に弾性変位させてアンダーカット嵌合を解除する取り外しレバーを兼ねたものである、請求項１記載のコンパクト。
【請求項３】
前記収納空間に、ドラムの側壁部分を弾性的に押圧して板状弾性片との協働下にドラムを挟圧支持する押圧片を有する、請求項１又は２に記載のコンパクト。
【請求項４】
前記ドラムは、略角型の平面形状あるいは丸型の平面形状を有するものである、請求項１〜３の何れかに記載のコンパクト。
【請求項５】
前記収納空間は、容器本体又は容器本体内に組み込まれる基体と、この容器本体又は基体に枢動連結して引き起し可能に保持され少なくとも１つの板状弾性片を有する揺動体とからなり、
前記揺動体に、該揺動体の引き起しに際して把持するレバーと、ドラムの底部に位置し該揺動体の引き起しに帯同させてドラムを押し上げる舌片を設けた請求項１〜４の何れかに記載のコンパクト。
【発明の詳細な説明】
【技術分野】
【０００１】
本発明は、化粧料を収納するのに使用されるコンパクトに関するものであり、化粧料が充填されたレフィル容器としてのドラムを本体部分に確実に保持するとともに、簡単な着脱を実現しようとするものである。
【背景技術】
【０００２】
コンパクトは一般にアイシャドーやアイライナー、ファンデーション等の化粧料をパフ等の塗布具とともに収納できる内部空間を有しており、とくに、化粧料については容器本体の継続的な使用を実現する観点から、それを使い切ったのちに新しい化粧料のみを入れ替えすることができるように該内部空間に適合する着脱式の化粧料充填ドラムが組み込まれている（例えば特許文献１参照）。
【特許文献１】実用新案登録第２５１７０７１号公報
【０００３】
通常、この種の化粧料充填ドラムは、コンパクト容器の本体部分に直接又は中枠に設けられた複数本の脚部でアンダーカット嵌合させて固定保持するのが普通であって、その取り替えを簡単に行うことができるようになっている。
【０００４】
ところで、一定のＲによって形成されたコーナー部を有する角型の平面形状を有するドラムや丸型の平面形状を有するドラムが装着されるコンパクトにおいて、該ドラムをコーナー部で支える構造のものでは、脚部についてもドラムのコーナー部と同等のＲが付与された断面形状を採用するのが普通であるところ、このような脚部はそれ自体が弾性変形しにくくなることからドラムの着脱に大きな力が必要となる不具合があり、また、不用意な落下等によってコンパクトに衝撃力が加えられた場合にその衝撃力は脚部を通してそのままドラムに伝達される（変形による衝撃吸収効果が小さい）ためドラムが内部空間から簡単に抜け落ちてしまうおそれがあった。
【発明の開示】
【発明が解決しようとする課題】
【０００５】
本発明の課題は、上述したような従来の問題を解消できる新規なコンパクトを提案するところにある。
【課題を解決するための手段】
【０００６】
本発明は、化粧料を充填、保持するドラムと、開閉自在な蓋体を有しその内部に該ドラムを着脱自在に収納する収納空間をもつ容器本体とからなるコンパクトであって、
前記収納空間に、前記ドラムの各コーナー部又は湾曲面のそれぞれに対向する幅広面を有しその幅広面で相互に挟圧支持してドラムを支える一端固定型のフラットな板状弾性片を設け、
該板状弾性片の幅広面に、前記ドラムのコーナー部又は湾曲面と同一のＲ形状を有し該ドラムのコーナー部又は湾曲面にアンダーカット嵌合する嵌合リブ又は嵌合溝部を配設してなることを特徴とするコンパクトである。
【０００７】
上記の構成になるコンパクトにおいて前記板状弾性片の少なくとも一つは、固定端を基点に弾性変位させることによってアンダーカット嵌合を解除する取り外しレバーを兼ねたものとするのが望ましく、この際、アンダーカット嵌合の解除を簡単に行うため弾性片の自由端を延長しておくのがよい。
【０００８】
また、前記収納空間は、ドラムの側壁部分を弾性的に押圧して板状弾性片との協働下にドラムを挟圧支持する押圧片を設けることができる。
【０００９】
さらに、前記収納空間は、容器本体又は容器本体内に組み込まれる基体と、この容器本体又は基体に枢動連結して引き起し可能に保持され少なくとも１つの板状弾性片を有する揺動体とにて構成し、前記揺動体に、該揺動体の引き起しに際して把持するレバーと、ドラムの底部に位置し該揺動体の引き起しに帯同させてドラムを押し上げる舌片を設けることができる。
【発明の効果】
【００１０】
ドラムのコーナー部（丸型の平面形状を有するものでは湾曲面）に位置する箇所に矩形断面を有する弾性変形可能なフラットな板状弾性片を配置しその幅広面にドラムのコーナー部と同一のＲ形状からなる嵌合リブ又は嵌合溝部を設けて該コーナー部でアンダーカット嵌合させると板状弾性片は変形しやすいので比較的小さな力でもって着脱が可能になる。
【００１１】
また、コンパクトに不用意な衝撃が加えられても板状弾性片の変形によってその衝撃が効果的に吸収されるためアンダーカット嵌合が簡単に外れてドラムが抜け落ちることもない。
【００１２】
ドラムの収納空間を容器本体又は基体と揺動体の少なくとも２つより構成して揺動体の引き上げにてドラムを押し上げることで該ドラムを簡単に取り外すことができる。
【発明を実施するための最良の形態】
【００１３】
以下、図面を用いて本発明をより具体的に説明する。
【００１４】
図１（ａ）〜（ｃ）、図２（ａ）（ｂ）及び図３は本発明にしたがうコンパクトの実施の形態を示したものであり、図１（ａ）は蓋体を取り除いた状態で示した平面図、図１（ｂ）は蓋体を取り付けた状態の正面を断面で示した図であり、図１（ｃ）は蓋体を取り付けた状態の側面の断面を示した図、図２（ａ）（ｂ）は図１（ａ）の要部拡大図とその断面図であり、図３は図１（ｂ）の要部拡大図である。
【００１５】
図１〜３における番号１は容器本体、２は容器本体１に枢支ピンを介して開閉自在に支持される蓋体、３は化粧料を充填、保持する略角型の平面形状を有する例で示したドラムである。
【００１６】
また、４は容器本体１の収納空間に設けられたフラットな板状弾性片である。この板状弾性片４は図４にその外観斜視図を示すごとくドラム３の各コーナー部３ａ〜３ｄのそれぞれに対向する幅広面を有しており、図２（ｂ）に示すようにその上固定端４ａを基点にして弾性変形可能になっている。
【００１７】
また、５は板状弾性片４の幅広面に一体的に設けられたＲ形状の嵌合リブであり（図２参照）、この嵌合リブ５はドラム３のコーナー部と同一形状になっていて、ドラム３のコーナー部３ａ〜３ｄに設けられた溝部でアンダーカット嵌合することで該ドラム３を支える。
【００１８】
さらに、６はドラム３のコーナー部を除く側壁部分の凹部（フラット面）を弾性的に押圧して板状弾性片４と協働してドラム３を支持する押圧片、７はドラム３の下面とドラム３の収納空間との相互間に配置されるパッキンであり、このパッキン７はドラム３に加わる衝撃を吸収する機能を有している。
【００１９】
図５（ａ）（ｂ）は従来型のコンパクトの要部を示したものであり、従来のコンパクトは脚部８が図示のようにドラム３のコーナー部に沿った湾曲形状を有していることから、剛性が高くて変形しにくく、ドラム３の着脱に大きな力を必要とするうえ衝撃力に対しての減衰機能も小さいことからドラム３の脱落や脚部７の破損等を起こしかねないが、本発明のコンパクトは従来型のコンパクトの脚部に対応する部分がフラットな板状弾性片４からなっており、柔軟な変形が可能であることから従来型のコンパクトで問題となるような不都合は全くない。
【００２０】
本発明の実施の形態では、板状弾性片４に嵌合リブ５を設けてアンダーカット嵌合させる例について示したが、ドラム３のコーナー部にリブ状の突部が設けられている場合にはこの突部に適合する嵌合溝部を設け、この嵌合溝部をリブ状の突部にアンダーカット嵌合させてドラムを支えるようにしてもよい。
【００２１】
板状弾性片４の下端を自由端として構成する場合（図２（ｂ）参照）、その自由端を延長させて容器本体１の底部に設けた開口から極僅かに露出させておくことで操作レバーとして機能させることができ、該自由端の押圧操作でアンダーカット嵌合を解除してドラム３の取り外しを容易とすることができる（板状弾性片４のうちの少なくとも一つでアンダーカット嵌合を解除するとドラム３は簡単に取り外せる。）。
【００２２】
図６（ａ）（ｂ）は本発明にしたがうコンパクトの他の実施の形態を示したものである。
【００２３】
かかる構造のコンパクトは、容器本体１に突起９ａ、９ｂを介して枢動連結して引き起し可能に保持される揺動体１０を設けたものであり、１１は揺動体１０の引き起しに際して把持するレバー（コンパクトの後方上端から蝶番側に向けて延出した場合について例示）、１２はドラム３の底部に位置し該揺動体１０の引き起しに帯同させてドラム３を押し上げる舌片であって、レバー１１及び舌片１２は揺動体１０に一体的に形成される。
【００２４】
図７に揺動体１０の外観を斜視図で示す。レバー１１を把持して揺動体１０を図示の仮想線に示すように引き起こすと舌片１２はドラム３を押し上げることとなりドラム３を収納空間から簡単に取り外すことができ、この場合、板状弾性片４の自由端を延長させて操作レバーとしての機能をもたせる必要はない。
【００２５】
本発明の実施の形態では、板状弾性片４を容器本体１に直接設けた場合について示したが、容器本体１に別体の中枠（基体）をセットして該中枠に板状弾性片４を設けるようにしてもよい。
【産業上の利用可能性】
【００２６】
ドラムの着脱に必要な力が小さくてすみ、かつ、衝撃が加えられてもドラムが簡単に抜け落ちることのないコンパクトを供給できる。
【図面の簡単な説明】
【００２７】
【図１】本発明の実施の形態を示した図であり、（ａ）は平面図、（ｂ）は正面の断面図、（ｃ）は側面の断面図である。
【図２】（ａ）は図１（ａ）の要部拡大図、（ｂ）は断面図である。
【図３】図１（ｂ）の要部拡大図である。
【図４】板状弾性片の外観斜視図である。
【図５】（ａ）は従来形式のコンパクトの要部拡大図であり、（ｂ）は（ａ）の断面図である。
【図６】（ａ）（ｂ）は本発明にしたがうコンパクトの他の実施の形態を示した図である。
【図７】図６に示したコンパクトの要部の外観斜視図である。
【符号の説明】
【００２８】
１  容器本体
２  蓋体
３  ドラム
３ａ〜３ｄ  コーナー部
４  板状弾性片
４ａ  上固定端  
５  嵌合リブ
６  押圧片
７  パッキン
８  脚部
９ａ、９ｂ    突起
１０  揺動体
１１  レバー
１２  舌片
【図１】
2005342171.tif 000003
【図２】
2005342171.tif 000004
【図３】
2005342171.tif 000005
【図４】
2005342171.tif 000006
【図５】
2005342171.tif 000007
【図６】
2005342171.tif 000008
【図７】
2005342171.tif 000009